(57)【要約】      （修正有）【課題】据え付け現場において、給水ポンプ及びその周辺機器を取り付けるための配管工事の工数を低減する。【解決手段】チラーは、圧縮機を備えるヒートポンプの冷媒と水の間で熱交換を行うチラーにおいて、給水ポンプ４１、入水側止水弁４２、出水側止水弁４３、入水側ストレーナ４４、及び出水側逆止弁４５を支持部材６０に固定することによって構成される給水ポンプユニット２００を備えている。【選択図】図２
2014145524.tif 000002
【特許請求の範囲】
【請求項１】
圧縮機を備えるヒートポンプの冷媒と水の間で熱交換を行うチラーにおいて、
給水ポンプ、入水側止水弁、出水側止水弁、入水側ストレーナ、及び出水側逆止弁を支持部材に固定することによって構成される給水ポンプユニットを備えている、ことを特徴とするチラー。
【発明の詳細な説明】
【技術分野】
【０００１】
本発明は、圧縮機を備えるヒートポンプの冷媒と水の間で熱交換を行うチラーに関する。
【背景技術】
【０００２】
特許文献１は、圧縮機を備えるヒートポンプを利用したチラーユニットを開示している。
【先行技術文献】
【特許文献】
【０００３】
【特許文献１】特開２００９−２３６３３９号公報
【発明の概要】
【発明が解決しようとする課題】
【０００４】
特許文献１は、水−冷媒熱交換器を搭載するチラーユニットを、ヒートポンプユニット（室外機）と別のユニットとする構成を開示している。ところが、特許文献１は、給水ポンプなど、水−冷媒熱交換器に対する入水及び出水のために必要な機器を開示していない。これらの機器が個別に取り付けられると、据え付け現場での配管工事のために多くの工数が必要とされる。
【０００５】
そこで、本発明は、据え付け現場において、給水ポンプ及びその周辺機器を取り付けるための配管工事の工数を低減できるチラーを提供する。
【課題を解決するための手段】
【０００６】
本発明に係るチラーは、圧縮機を備えるヒートポンプの冷媒と水の間で熱交換を行うチラーにおいて、給水ポンプ、入水側止水弁、出水側止水弁、入水側ストレーナ、及び出水側逆止弁を支持部材に固定することによって構成される給水ポンプユニットを備えている、ことを特徴とする。
【発明の効果】
【０００７】
本発明に係るチラーは、据え付け現場において、給水ポンプ及びその周辺機器を取り付けるための配管工事の工数を低減できる。
【図面の簡単な説明】
【０００８】
【図１】本実施形態に係るチラーの構成図である。
【図２】斜め後方から見た給水ポンプユニットの斜視図である。
【図３】斜め前方から見た給水ポンプユニットの斜視図である。
【図４】側方から見た給水ポンプユニットの斜視図である。
【発明を実施するための形態】
【０００９】
図１は、本実施形態に係るチラー１０００の構成図である。チラー１０００は、チラーユニット１００及び給水ポンプユニット２００を備えている。チラーユニット１００は、ヒートポンプを構成する部品１−１２を備えており、ヒートポンプの冷媒と水との間で熱交換を行うように構成されている。水は、給水ポンプユニット２００を介して、チラーユニット１００に導入され且つチラーユニット１００から排出される。
【００１０】
チラーユニット１００は、２つの圧縮機１、オイルセパレータ２、四方弁３、２つのＡ／Ｒ熱交換器（空気−冷媒熱交換器）４、ブリッジ回路５、レシーバ６、３つの主膨張弁７、２つの補助膨張弁８、Ｗ／Ｒ熱交換器（水−冷媒熱交換器）９、補助蒸発器１０、アキュームレータ１１、及び冷媒経路１２を備えている。冷媒経路１２は、これらの機器１−１１を接続している。圧縮機１は冷媒を冷媒経路１２に沿って流す。オイルセパレータ２は、圧縮機１から吐出される冷媒からオイルを分離する。四方弁３は、加熱運転又は冷却運転が実行されるように、冷媒経路１２における冷媒の流れ方向を切り替える。Ａ／Ｒ熱交換器４は、冷却運転又は加熱運転の実行に応じて凝縮器又は蒸発器として機能し、外気と冷媒との間で熱交換を行う。ブリッジ回路５は、加熱運転及び冷却運転のどちらが実行されていても、補助蒸発器１０が蒸発器として機能するように冷媒の流れを誘導する。レシーバ６は、余剰の冷媒を必要に応じて蓄える。主膨張弁７は、Ａ／Ｒ熱交換器４とＷ／Ｒ熱交換器９との間を流れる冷媒を膨張させる。補助膨張弁８は、Ａ／Ｒ熱交換器４又はＷ／Ｒ熱交換器９と補助蒸発器１０との間を流れる冷媒を膨張させる。Ｗ／Ｒ熱交換器９は、冷却運転又は加熱運転の実行に応じて蒸発器又は凝縮器として機能し、水と冷媒との間で熱交換を行う。Ｗ／Ｒ熱交換器９には、冷媒経路１２及び水経路２０が並列に配置されている。補助蒸発器１０は、発熱源からの高温熱媒体と冷媒との間で熱交換を行う。本実施形態では、発熱源は圧縮機１を駆動するエンジンであり、高温熱媒体はエンジン排熱を運ぶエンジン冷却水である。補助蒸発器１０には、冷媒経路１２及び冷却水経路３０が並列に配置されている。アキュームレータ１１は、冷媒を一時的に蓄え、冷媒の脈動を抑制する。
【００１１】
チラーユニット１００は、２つのサービスポート１３、１４を備えている。サービスポート１３、１４は、冷媒経路１２に開口するポートであり、冷媒を補給する又は冷媒を排出するために用いられる。サービスポート１３は、Ａ／Ｒ熱交換器４とブリッジ回路５の間に配置されている。サービスポート１４は、Ｗ／Ｒ熱交換器９とブリッジ回路５の間に配置されている。
【００１２】
冷却運転及び加熱運転を説明する。四方弁３は、冷却位置及び加熱位置のいずれか一方に切り替えられるように構成されている。四方弁３が冷却位置にあるとき、Ｗ／Ｒ熱交換器９を流れる水を冷却する冷却運転が実行される。四方弁３が加熱位置にあるとき、Ｗ／Ｒ熱交換器９を流れる水を加熱する加熱運転が実行される。
【００１３】
冷却運転では、冷媒は圧縮機１から、オイルセパレータ２、四方弁３、Ａ／Ｒ熱交換器４、ブリッジ回路５、レシーバ６、主膨張弁７、ブリッジ回路５、Ｗ／Ｒ熱交換器９、四方弁３、及びアキュームレータ１１を経由して流され、圧縮機１に戻る。冷却運転では、エンジン排熱を利用しないので、主膨張弁８は閉じられており、冷媒は補助蒸発器１０を流れない。
【００１４】
加熱運転では、冷媒は圧縮機１から、オイルセパレータ２、四方弁３、Ｗ／Ｒ熱交換器９、ブリッジ回路５、レシーバ６、主膨張弁７、ブリッジ回路５、Ａ／Ｒ熱交換器４、四方弁３、及びアキュームレータ１１を経由して流され、圧縮機１に戻る。加熱運転では、冷媒を加熱する熱源としてエンジン排熱が利用される場合がある。この場合、冷補助膨張弁８が開かれる。冷補助膨張弁８が開かれているとき、冷媒は更に、レシーバ６から補助膨張弁８を流れるように分岐し、補助蒸発器１０を経由し、アキュームレータ１１で合流し、圧縮機１に戻る。
【００１５】
図２−４を参照して、給水ポンプユニット２００を説明する。図２は、斜め後方から見た給水ポンプユニット２００の斜視図である。図３は、斜め前方から見た給水ポンプユニット２００の斜視図である。図４は、側方から見た給水ポンプユニット２００の斜視図である。図２−４において、チラーユニット１００への接続側を給水ポンプユニット２００前側としている。
【００１６】
図２−４において、給水ポンプユニット２００は、入水経路２１、出水経路２２、ポンプ機器４０、及び支持フレーム６０を備えている。
【００１７】
入水経路２１及び出水経路２２は、水経路２０の一部である。入水経路２１は、Ｗ／Ｒ熱交換器９の水入口９１（図１）に接続される接続口２１ａを備えており、入水管５１から水入口９１に水を導入する。出水経路２２は、Ｗ／Ｒ熱交換器９の水出口９２（図１）に接続される接続口２２ａを備えており、水出口９２から出水管５２に水を排出する。入水管５１及び出水管５２は、チラー１０００の外部にある。入水経路２１及び出水経路２２はそれぞれ、複数の配管及びポンプ機器４０の構成部品（４１−４６）を接続することによって構成されている。
【００１８】
入水経路２１は、ドレンポート２３及び取出用ポート２４を備えている。取出用ポート２４は、エア抜きのため、又は圧力計及び温度計などの計測器に供給する水を取り出すために、用いられる。出水経路２２は、取出用ポート２５、２６を備えている。取出用ポート２５は、圧力計及び温度計などの計測器に供給する水を取り出すために用いられる。
【００１９】
ポンプ機器４０は、給水ポンプ４１、入水側の止水弁４２、出水側の止水弁４３、入水側のストレーナ４４、出水側の逆止弁４５、フロースイッチ４６、及び定流量弁４７を備えている。
【００２０】
入水経路２１は、入水管５１から接続口２１ａに向けて、止水弁４２、ストレーナ４４、給水ポンプ４１、ドレンポート２３、及び取出用ポート２４を、順に配置している。フロースイッチ４６は給水ポンプ４１に取り付けられている。出水経路２２は、接続口２２ａから出水管５２に向けて、定流量弁４７、取出用ポート２６、逆止弁４５、取出用ポート２５、及び止水弁４３を、順に配置している。
【００２１】
給水ポンプ４１は、入水管５１から水経路２０を経由して出水管５２に水を流す。ストレーナ４４は、入水管５１から導入される水からゴミを除去する。定流量弁４７は、一定流量の水が流れるように、給水ポンプ４１による圧力変動を抑制する。フロースイッチ４６は、水量が減少したときに給水ポンプ４１の駆動を停止させるため、給水ポンプ４１内の水位を検出する。止水弁４２、４３はそれぞれ、経路２１、２２を閉鎖できる。
【００２２】
支持フレーム６０は、複数のＬ型材６１、Ｕ型ブラケット６２、及び複数の取付金具６３を備えている。複数のＬ型材６１を組み合わせることによって、支持フレーム６０の構造部材が構成されている。Ｕ型ブラケット６２はＬ型材６１に固定されている。入水経路２１の複数箇所において、入水経路２１を構成する配管が、取付金具６３を用いてＵ型ブラケット６２に固定されている。同様に、出水経路２２の複数箇所において、出水経路２２を構成する配管が、取付金具６３を用いてＵ型ブラケット６２に固定されている。この結果、ポンプ機器４０の構成部品（４１−４６）が支持フレーム６０に支持されている。
【００２３】
本実施形態に係るチラー１０００は、上述の構成により、次の作用、効果を有する。
【００２４】
本実施形態に係るチラー１０００は、圧縮機１を備えるヒートポンプの冷媒と水の間で熱交換を行うチラーである。チラー１０００は、給水ポンプユニット２００を備えている。給水ポンプユニット２００は、給水ポンプ４１、入水側止水弁４２、出水側止水弁４３、入水側ストレーナ４４、及び出水側逆止弁４５を支持部材（６０）に固定することによって構成される。
【００２５】
給水ポンプ４１及びその周辺機器（４２−４５）は一体化されており、支持部材（６０）を据え付けることによって、給水ポンプ４１及びその周辺機器（４２−４５）の据え付けが完了する。このため、本実施形態に係るチラー１０００は、据え付け現場において、給水ポンプ４１及びその周辺機器（４２−４５）を取り付けるための配管工事の工数を低減できる。
【符号の説明】
【００２６】
１  圧縮機
４１  給水ポンプ
４２  入水側止水弁
４３  出水側止水弁
４４  入水側ストレーナ
４５  出水側逆止弁
２００  給水ポンプユニット
１０００  チラー
【図１】
2014145524.tif 000003
【図２】
2014145524.tif 000004
【図３】
2014145524.tif 000005
【図４】
2014145524.tif 000006